(57)【要約】【課題】外枠全体の重みの増加と材料費のアップを抑制しつつ、外枠に回動可能に取付けられる前枠を長期間に渡ってスムーズに回動させることのできる外枠を提供する。【解決手段】矩形枠状に枠組みされる上下左右の枠部材２〜５を有し、左右の枠部材３，４がいずれも金属製であり、左寄りに前枠が回動可能に取付けられる遊技機の外枠１であって、左の枠部材３は、右の枠部材４よりも板厚が厚くなっている。【選択図】図２
2007282745.tif 000002
【特許請求の範囲】
【請求項１】
矩形枠状に枠組みされる上下左右の枠部材を有し、左右の枠部材がいずれも樹脂製またはいずれも金属製であり、左寄りに前枠が回動可能に取付けられる遊技機の外枠であって、
前記左の枠部材は、前記右の枠部材よりも板厚が厚くなっていることを特徴とする遊技機の外枠。
【請求項２】
矩形枠状に枠組みされる上下左右の枠部材を有し、左右の枠部材がいずれも樹脂製またはいずれも金属製であり、左寄りに前枠が回動可能に取付けられる遊技機の外枠であって、
左の枠部材は、手前側領域の長手方向全長に渡って、右の枠部材の手前側領域よりも板厚の厚い板厚部を有し、
左右の枠部材の奥側領域は、前記板厚部よりも板厚が薄く、かつ厚み方向に突出するリブを有し、
左右の枠部材の上下端部には、手前側領域と奥側領域に跨って連結部材が取付けられ、その連結部材に上下の枠部材が取付けられていることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
従来、様々な外枠が知られており、例えば、特許文献１，２に記載の外枠が知られている。特許文献１に記載の外枠は、上下左右の枠部材が金属製であり、特許文献２に記載の外枠は、上下左右の枠部材が樹脂製である。そしてこれら外枠は、左右対称になっており、左右の枠部材の強度がほぼ同じ強度になっていた。
【特許文献１】特開２００２−２３９１７４号公報
【特許文献２】特開２００３−２７５４３２号公報
【発明の開示】
【発明が解決しようとする課題】
【０００３】
しかし外枠の左寄りには、前枠が回動可能に取付けられており、前枠には遊技盤や基盤等が取付けられている。そのため前枠を外枠に対して前方に開くと、遊技盤や基盤等の重みのほとんどが左の枠部材に掛かる。そのため左の枠部材が遊技盤や基盤等の重みによって経時的に撓み、その結果、外枠が歪んで前枠を外枠に対してスムーズに開閉できなくなる場合があった。外枠の経時的な歪みを防止するために、外枠全体の強度を向上させる形態も考えられ得る。しかしこの形態によると、外枠全体の重みが増加し、外枠の材料費が高くなるという問題が生じる。
そこで本発明は、外枠全体の重みの増加と材料費のアップを抑制しつつ、外枠に回動可能に取付けられる前枠を長期間に渡ってスムーズに回動させることのできる外枠を提供することを課題とする。
【課題を解決するための手段】
【０００４】
前記課題を解決するために本発明は、各請求項に記載の通りの構成を備える遊技機の外枠であることを特徴とする。
請求項１に記載の発明によると、左の枠部材は、右の枠部材よりも板厚が厚くなっている。
したがって左の枠部材は、右の枠部材よりも強度が強い。そのため左の枠部材は、右の枠部材に比べて遊技盤や基盤等の重みに対して経時的に撓みにくく、遊技盤や基盤等が取付けられた前枠を外枠に対して長期的にスムーズに回動させることができる。しかも左の枠部材のみを厚くすれば良いために、外枠全体の板厚を厚くする形態に比べて外枠全体の重みの増加が少なく、材料費のアップも少ない。
【０００５】
請求項２に記載の発明によると、左の枠部材は、手前側領域の長手方向全長に渡って、右の枠部材の手前側領域よりも板厚の厚い板厚部を有している。左右の枠部材の奥側領域は、板厚部よりも板厚が薄く、かつ厚み方向に突出するリブを有している。そして左右の枠部材の上下端部には、手前側領域と奥側領域に跨って連結部材が取付けられ、その連結部材に上下の枠部材が取付けられている。
【０００６】
したがって左の枠部材は、手前側領域の長手方向全長に渡って板厚部を有している。これに対して遊技盤や基盤等の重みは、外枠の左寄りの手前側、すなわち左の枠部材の手前側領域に負荷される。したがって遊技盤や基盤等の重みを左の枠部材の板厚部によって支持することができるために、外枠は経時的に撓みにくい。そのため遊技盤や基盤等が取付けられた前枠を外枠に対して長期的にスムーズに回動させることができる。また外枠は、左の枠部材の手前側領域のみを厚くすれば良いため、外枠全体を厚くする形態に比べて外枠全体の重みの増加が少なく、材料費のアップも少ない。
【０００７】
また左右の枠部材の奥側領域は、どちらも板厚部よりも板厚が薄い。そして厚み方向に突出するリブを有している。そのため左右の枠部材の奥側領域は、どちらも軽量でかつ強度の強い構造になっている。
また左右の枠部材の上下端部には、手前側領域と奥側領域に跨って連結部材が取付けられている。そのため連結部材は、広い領域において左右の枠部材に取付けられる。しかも左の枠部材に取付けられる連結部材は、板厚部である手前側領域にも取付けられる。したがって連結部材は、左右の枠部材に安定良く取付けられる。
【発明の効果】
【０００８】
本発明によると、外枠に回動可能に取付けられる前枠を長期間に渡ってスムーズに開閉動させることができる。そしてその構造は、外枠全体の重みの増加が少なく、かつ材料費のアップが少ない構造になっている。
【発明を実施するための最良の形態】
【０００９】
本発明の実施の形態を図１〜４にしたがって説明する。
外枠１は、図１，２に示すように矩形枠状であって、木製の上下の枠部材２，５と、アルミニウム製の左右の枠部材３，４と、これら枠部材２〜５を連結する連結部材１０〜１３と、幕板６を有している。
上下の枠部材２，５は、図２に示すように左右両端部に溝部２ａ，５ａを有している。溝部２ａ，５ａは、枠部材２，５の端部中央から凹設されており、厚み方向に貫通している。
【００１０】
左右の枠部材３，４は、図２に示すように木製の上下の枠部材２，５の厚さ（約１９ｍｍ）よりも薄く、例えば厚さ３〜１２ｍｍの薄板状になっている。
左の枠部材３と右の枠部材４は、図３，４に示すように板状であって、遊技者の手前側の手前側領域３ａ，４ａと、奥側の奥側領域３ｂ，４ｂとを有している。
【００１１】
左の枠部材３の手前側領域３ａは、右の枠部材４の手前側領域４ａよりも板厚が厚く、例えば手前側領域４ａの２倍以上、４倍以下の厚みを有する板厚部になっている。この板厚部（３ａ）は、長手方向全長に渡って形成されており、左の枠部材３は、板厚部によって右の枠部材４よりも長手方向の強度と厚み方向の強度が強くなっている。
【００１２】
左の枠部材３の奥側領域３ｂと、右の枠部材４の奥側領域４ｂは、図３，４に示すように左右対称で、ほぼ同じ板厚になっている。
奥側領域３ｂ，４ｂには、複数のリブ３ｂ１〜３ｂ３，４ｂ１〜４ｂ３が形成されている。リブ３ｂ１，４ｂ１は、奥側領域３ｂ，４ｂの後ろ端から厚み方向外側に向けて突出し、長手方向全長に渡って延びている。リブ３ｂ２，４ｂ２は、奥側領域３ｂ，４ｂの後ろ寄り位置から厚み方向外枠１中央に向けて突出し、長手方向全長に渡って延びている。
【００１３】
リブ３ｂ３，４ｂ３は、奥側領域３ｂ，４ｂの前端から厚み方向外枠１中央に向けて突出し、長手方向のほぼ全長に渡って延びている。そしてリブ３ｂ３，４ｂ３は、左右の枠部材３，４の上下端縁までは延出しておらず、リブ３ｂ３，４ｂ３の上下端縁と左右の枠部材３，４の上下端縁の間にスペースを形成し、そのスペースに連結部材１０〜１３が設置される。
【００１４】
連結部材１０〜１３は、図２に示すようにアルミなどの金属材もしくは樹脂材から形成されるジョイントであって、外枠１の枠内側に取付けられる。
連結部材１０〜１３は、角柱状の本体部１０ａ〜１３ａと、本体部１０ａ〜１３ａから角柱状に突出するほぞ部１０ｂ〜１３ｂを一体に備えている。
【００１５】
本体部１０ａ〜１３ａは、左右の枠部材３，４の上下端部内側面に設置される。そして本体部１０ａ〜１３ａは、左右の枠部材３，４の手前側領域３ａ，４ａと奥側領域３ｂ，４ｂに跨って配置され、ねじ２１によって左右の枠部材３，４に取付けられる。
ほぞ部１０ｂ〜１３ｂは、左右の枠部材３，４の上下端縁から突出しており、上下の枠部材２，５の溝部２ａ，５ａに嵌合される。
【００１６】
右の枠部材４の内側面には、図２に示すように一対の係止爪２２が取付けられる。
係止爪２２は、外枠１に開閉動可能に取付けられる前枠２０（図１参照）の施錠装置が係止される部材であって、右の枠部材４から外枠１の中央に向けて突出している。
【００１７】
幕板６は、図２に示すように下の枠部材５の前端縁に立設される。幕板６は、左右の枠部材３，４の前側において左右の枠部材３，４の下端部と下の枠部材５に対してねじ２１にて取付けられる。
幕板６の上面には、滑り板２３が取付けられる。滑り板２３には、外枠１に回動可能に取付けられた前枠２０（図１参照）の下端部が前方から当接され、その下端部が滑り板２３の上面を滑ることで、幕板６の上面に前枠２０が設置される。
【００１８】
外枠１の左側の上下部には、図１，２に示すように前枠２０を回動可能に支持する上蝶番１４と下蝶番１５が取付けられる。そして前枠２０には、遊技盤や基盤等が取付けられる。
上蝶番１４は、鋼材などの金属材から形成されており、本体板部１４ａと突出部１４ｂと取付板部１４ｃを一体に有している。本体板部１４ａは、上の枠部材２の上面に設置される。そしてねじ２１によって上の枠部材２の下面に設置された取付板１６とともに上の枠部材２に対して友締めされる。突出部１４ｂは、本体板部１４ａの前端部から前方に突出しており、前枠２０（図１参照）の左側上端部が回動可能に取付けられる。取付板部１４ｃは、左の枠部材３の外側面に設置されてねじ２１によって連結部材１０とともに左の枠部材３に友締めされる。
【００１９】
下蝶番１５は、鋼材などの金属材から形成されており、図２に示すように本体取付部１５ａと突出部１５ｂと支持部１５ｃを一体に有している。本体取付部１５ａは、幕板６の上面に設置されてねじ２１によって取付けられる。支持部１５ｃは、本体取付部１５ａの左端縁から上方に延出しており、左の枠部材３の内側面に当接されて、ねじ２１によって左の枠部材３に取付けられる。突出部１５ｂは、本体取付部１５ａの前端部から上方に突出しており、前枠２０（図１参照）の左側下端部が回動可能に取付けられる。
【００２０】
外枠１の組付け方法は、先ず、図２に示すように左右の枠部材３，４の上下端部に連結部材１０〜１３を取付ける。次に、連結部材１０〜１３のほぞ部１０ｂ〜１３ｂに上下の枠部材２，５の溝部２ａ，５ａを嵌合させる。そして上下の枠部材２，５をねじ２１によって連結部材１０〜１３と固定する。
【００２１】
次に、幕板６を左右の枠部材３，４の下端部と下の枠部材５に対して固定する。
次に、上蝶番１４を上の枠部材２の上側に設置し、上蝶番１４を上の枠部材２と左の枠部材３に対して固定する。
次に、下蝶番１５を幕板６の上面に設置し、下蝶番１５を幕板６と左の枠部材３に対して固定する。そして右の枠部材４に係止爪２２を取付ける。
【００２２】
以上のようにして外枠１が形成される。
すなわち左の枠部材３は、図２〜４に示すように右の枠部材４よりも板厚が厚くなっている。
したがって左の枠部材３は、右の枠部材４よりも強度が強い。そのため左の枠部材３は、右の枠部材４に比べて遊技盤や基盤等の重みに対して経時的に撓みにくく、遊技盤や基盤等が取付けられた前枠２０を外枠に対して長期的にスムーズに回動させることができる。しかも左の枠部材３のみを厚くすれば良いために、外枠１全体の板厚を厚くする形態に比べて外枠１全体の重みの増加が少なく、材料費のアップも少ない。
【００２３】
また左の枠部材３は、図２に示すように手前側領域３ａの長手方向全長に渡って、右の枠部材４の手前側領域４ａよりも板厚の厚い板厚部（３ａ）を有している（図３，４参照）。左右の枠部材３，４の奥側領域３ｂ，４ｂは、板厚部（３ａ）よりも板厚が薄く、かつ厚み方向に突出するリブ３ｂ１〜３ｂ３，４ｂ１〜４ｂ３を有している。そして左右の枠部材３，４の上下端部には、手前側領域３ａ，４ａと奥側領域３ｂ，４ｂに跨って連結部材１０〜１３が取付けられ、その連結部材１０〜１３に上下の枠部材２，５が取付けられている。
【００２４】
したがって左の枠部材３は、手前側領域３ａの長手方向全長に渡って板厚部（３ａ）を有している。これに対して遊技盤や基盤等の重みは、外枠１の左寄りの手前側、すなわち左の枠部材３の手前側領域３ａに負荷される。したがって遊技盤や基盤等の重みを左の枠部材３の板厚部（３ａ）によって支持することができるために、外枠１は経時的に撓みにくい。そのため遊技盤や基盤等が取付けられた前枠２０を外枠１に対して長期的にスムーズに回動させることができる。また外枠１は、左の枠部材３の手前側領域３ａのみを厚くすれば良いため、外枠１全体を厚くする形態に比べて外枠１全体の重みの増加が少なく、材料費のアップも少ない。
【００２５】
また左右の枠部材３，４の奥側領域３ｂ，４ｂは、どちらも板厚部（３ａ）よりも板厚が薄い。そして厚み方向に突出するリブ３ｂ１〜３ｂ３，４ｂ１〜４ｂ３を有している。そのため左右の枠部材３，４の奥側領域３ｂ，４ｂは、どちらも軽量でかつ強度の強い構造になっている。
また左右の枠部材３，４の上下端部には、手前側領域３ａ，４ａと奥側領域３ｂ，４ｂに跨って連結部材１０〜１３が取付けられている。そのため連結部材１０〜１３は、広い領域において左右の枠部材３，４に取付けられる。しかも左の枠部材３に取付けられる連結部材１０，１１は、板厚部（３ａ）である手前側領域３ａにも取付けられる。したがって連結部材１０〜１３は、左右の枠部材３，４に安定良く取付けられる。
【００２６】
（他の実施の形態）
本発明は、上記の実施の形態に限定されず、以下の形態であっても良い。
（１）例えば上記の実施の形態に係る左右の枠部材は、アルミニウム製であったが、左右の枠部材のいずれもがアルミニウム以外の金属製または樹脂製であっても良い。
（２）また上記の実施の形態に係る上下の枠部材は、木製であったが、金属製または樹脂製であっても良い。
（３）また上記の実施の形態に係る左右の枠部材の奥側領域には、複数のリブが形成されていたが、一つのリブが形成される形態であっても良い。
【図面の簡単な説明】
【００２７】
【図１】外枠の斜視図である。
【図２】組付け前の外枠部品の斜視図である。
【図３】図１のIII―III線における左の枠部材の断面拡大図である。
【図４】図１のIV―IV線における右の枠部材の断面拡大図である。
【符号の説明】
【００２８】
１・・・外枠
２・・・上の枠部材
３・・・左の枠部材（金属製または樹脂製の枠部材）
３ａ・・・手前側領域（板厚部）
３ｂ・・・奥側領域
３ｂ１〜３ｂ３・・・リブ
４・・・右の枠部材（金属製または樹脂製の枠部材）
４ａ・・・手前側領域
４ｂ・・・奥側領域
４ｂ１〜４ｂ３・・・リブ
５・・・下の枠部材
６・・・幕板
１０〜１３・・・連結部材
１４・・・上蝶番
１５・・・下蝶番
２０・・・前枠
【図１】
2007282745.tif 000003
【図２】
2007282745.tif 000004
【図３】
2007282745.tif 000005
【図４】
2007282745.tif 000006